(57)【特許請求の範囲】
【請求項１】
床下地面材上に設置された内壁面材の裏面側に、板状に形成された繊維系材料に表被材を被せてなる壁内断熱材が、前記内壁面材の裏面に沿って設けられた建物に適用され、
前記表被材の一部には、前記繊維系材料の周縁部よりも外側に延出する耳部が設けられており、
前記耳部において前記繊維系材料の下側から延出する下耳部は、前記内壁面材の下端部と前記床下地面材との間を通じて前記内壁面材の表面側に延び、その一部が前記床下地面材とその上に敷設される床仕上げ面材との間に挟み込まれており、
前記内壁面材の上方には天井下地面材が設けられており、
前記天井下地面材の下方には、シート材からなる天井仕上げ面材と、当該天井下地面材と前記内壁面材との境界部に沿って延びる廻り縁とが設けられており、
前記耳部において前記繊維系材料の上側から延出する上耳部は、前記内壁面材の上端部と前記天井下地面材との間を通じて前記内壁面材の表面側に延びており、その端部が前記廻り縁と前記天井下地面材との間に挟み込まれており、
前記上耳部は、前記天井仕上げ面材と前記天井下地面材との間には挟み込まれていないことを特徴とする建物の気密構造。
【請求項２】
前記内壁面材が横並びに複数設置されているとともに、前記各内壁面材ごとに前記壁内断熱材が配設されている建物に適用され、
前記下耳部は、前記内壁面材の幅方向の長さが該内壁面材の幅寸法よりも大きく設定されることにより、その一部が前記内壁面材よりも側方に延出する延出部となっており、
前記隣り合う内壁面材において、一方の内壁面材の裏面に設けられた前記壁内断熱材の前記下耳部の延出部が、他方の内壁面材の裏面に設けられた前記壁内断熱材の前記下耳部と重ね合わせられ、その重ね合わせ状態で前記床下地面材と前記床仕上げ面材との間に挟み込まれていることを特徴とする請求項１に記載の建物の気密構造。
【請求項３】
前記内壁面材と、前記壁内断熱材と、前記内壁面材の裏面側において前記壁内断熱材の周囲に設けられる内壁フレームとを有する内壁パネルを備え、前記内壁パネルが、横並びに複数設置されている建物に適用され、
前記内壁パネルにおいて、前記内壁フレームは、前記内壁面材の側縁に沿って設けられる縦枠材を有し、該縦枠材と前記内壁面材との間には、前記壁内断熱材の耳部において前記繊維系材料から側方に延出する側耳部が挟み込まれており、
隣り合う前記内壁パネルにおいて、一方の内壁パネルの前記縦枠材は、他方の内壁パネル側にはみ出して同パネルの内壁面材と対向する対向部を有し、それら対向し合う当該内壁面材と当該対向部との間には、前記一方の内壁パネルにおいて前記縦枠材と前記内壁面材との間に挟み込まれた前記側耳部の端縁部及び、前記他方の内壁パネルにおける前記壁内断熱材の側耳部のうち少なくともいずれかが挟み込まれていることを特徴とする請求項１又は２に記載の建物の気密構造。
【請求項４】
前記一方の内壁パネルにおいて前記縦枠材と前記内壁面材との間に挟み込まれた前記側耳部は該内壁面材よりも側方に一部はみ出しており、そのはみ出した部分が前記他方の内壁パネルにおける前記側耳部と重ね合わせられた状態で、前記対向部と前記他方の内壁パネルの内壁面材との間に挟み込まれていることを特徴とする請求項３に記載の建物の気密構造。
【請求項５】
前記内壁面材には、前記壁内断熱材と、前記内壁面材の下端面に対向した状態で配置されたガイド部材とがそれぞれ一体に設けられ、
前記下耳部は、前記ガイド部材と前記内壁面材の下端面との間に挟み込まれた状態で設けられることにより、前記内壁面材の表面側に延びていることを特徴とする請求項１乃至４のいずれか一項に記載の建物の気密構造。
【請求項６】
前記耳部を有してなる前記表被材は、防湿性を有する材料からなることを特徴とする請求項１乃至５のいずれか一項に記載の建物の気密構造。
【請求項７】
前記内壁面材の裏面側には、前記壁内断熱材を囲んで内壁フレームが設けられ、
前記壁内断熱材の前記表被材の耳部は、前記内壁フレームと前記内壁面材との間に挟み込まれていることを特徴とする請求項１乃至６のいずれか一項に記載の建物の気密構造。
【発明の詳細な説明】
【技術分野】
【０００１】
本発明は、建物の気密構造に関する。
【背景技術】
【０００２】
住宅等の建物では、外壁部の断熱性能を確保するために、対向配置される外壁面材と内壁面材との間の壁内空間に壁内断熱材が設けられているのが一般的である。この種の壁内断熱材としては、グラスウール等の繊維系断熱材に防湿性を有する表被材を被せてなるものがある。かかる壁内断熱材では、表被材の周縁部から外側に延出する耳部が設けられているものがあり、この場合、耳部を内壁面材等にタッカー等を用いて取り付けることで壁内断熱材を組み付けられるようになっている。
【０００３】
また、建物においては断熱性能の他に気密性能が求められる。例えば、建物の外壁部では、内壁面材と床面材との間の隙間を通じて屋内に外気が出入りすることが想定される。そこで、この対策として、例えば特許文献１には、内壁面材と床面材との境界部に沿って気密テープを貼り付け目止めした構成が開示されている。これによれば、内壁面材と床面材との間の隙間を通じて屋内に外気が出入りするのを抑制できるため、気密性を確保することができる。
【先行技術文献】
【特許文献】
【０００４】
【特許文献１】特開２００１−４９７５４号公報
【発明の概要】
【発明が解決しようとする課題】
【０００５】
しかしながら、上記特許文献１の技術では、細長状の気密テープを内壁面材と床面材との境界部に沿ってそれら各面材に跨るように貼り付けていく必要があり、その作業には慎重さが求められる。そのため、気密テープの貼り付け作業には多大な時間を要することが想定され、作業工数の増大が懸念される。
【０００６】
本発明は、上記事情に鑑みてなされたものであり、製造時における作業工数の削減を図ることができる建物の気密構造を提供することを主たる目的とするものである。
【課題を解決するための手段】
【０００７】
上記課題を解決すべく、第１の発明の建物の気密構造は、床下地面材上に設置された内壁面材の裏面側に、板状に形成された繊維系材料に表被材を被せてなる壁内断熱材が、前記内壁面材の裏面に沿って設けられた建物に適用され、前記表被材の一部には、前記繊維系材料の周縁部よりも外側に延出する耳部が設けられており、前記耳部において前記繊維系材料の下側から延出する下耳部は、前記内壁面材の下端部と前記床下地面材との間を通じて前記内壁面材の表面側に延び、その一部が前記床下地面材とその上に敷設される床仕上げ面材との間に挟み込まれていることを特徴とする。
【０００８】
本発明によれば、内壁面材の裏面に設けられた壁内断熱材の表被材の下耳部が、内壁面材の下端部と床下地面材との間を通じて内壁面材の表面側に一部引き出されており、その引き出された部分が床下地面材と床仕上げ面材との間に挟み込まれている。この場合、内壁面材と床仕上げ面材との間の間隙が下耳部により下方から覆われるため、内壁面材と床仕上げ面材との間を通じて空気が出入りするのを抑制でき、その結果気密性の確保が図れる。また、かかる構成では、まず下耳部を内壁面材の表面側に引き出した状態で当該内壁面材を床下地面材上に設置し、その後床下地面材上に床仕上げ面材を設置するといった簡易な作業を行うことで、それら両面材の間に下耳部を挟み込むことができる。そのため、製造時における作業工数の削減を図ることができる。
【０００９】
ところで、内壁面材の下端部と床下地面材との間で下耳部を挟み込むだけでも、それら両者の間を通じた空気の出入りを抑制できるため、結果として内壁面材と床仕上げ面材との間の気密性能をある程度確保することができる。しかしながら、かかる構成では、下耳部が挟み込まれる挟み込み部分の幅（詳しくは内壁材の壁厚み方向の長さ）を内壁面材の壁厚み分しか確保できず、十分な気密効果を得られないおそれがある。この点、床下地面材と床仕上げ面材との間で下耳部を挟み込む上記の構成では、下耳部の挟み込み部分を広く確保できるため、十分な気密効果を得ることが可能となる。
【００１０】
第２の発明の建物の気密構造は、第１の発明において、前記内壁面材が横並びに複数設置されているとともに、前記各内壁面材ごとに前記壁内断熱材が配設されている建物に適用され、前記下耳部は、前記内壁面材の幅方向の長さが該内壁面材の幅寸法よりも大きく設定されることにより、その一部が前記内壁面材よりも側方に延出する延出部となっており、前記隣り合う内壁面材において、一方の内壁面材の裏面に設けられた前記壁内断熱材の前記下耳部の延出部が、他方の内壁面材の裏面に設けられた前記壁内断熱材の前記下耳部と重ね合わせられ、その重ね合わせ状態で前記床下地面材と前記床仕上げ面材との間に挟み込まれていることを特徴とする。
【００１１】
本発明によれば、隣り合う各内壁面材の裏面に設けられた各々の壁内断熱材の下耳部同士が一部重ね合わせられた状態で設けられており、その重ね合わせ状態で各下耳部が床下地面材と床仕上げ面材との間に挟み込まれている。この場合、内壁面材の並ぶ方向に沿って連続した気密ラインを形成できるため、気密性を高めることができる。
【００１２】
第３の発明の建物の気密構造は、第１又は第２の発明において、前記耳部において前記繊維系材料の上側から延出する上耳部は、前記内壁面材の上端部と、その上方に設けられた天井下地面材との間を通じて前記内壁面材の表面側に延びており、その一部が前記天井下地面材と、その下方に設けられた廻り縁及び天井仕上げ面材のうち少なくともいずれかとの間に挟み込まれていることを特徴とする。
【００１３】
本発明によれば、内壁面材の裏面側に設けられた壁内断熱材の上耳部が内壁面材の上端部と天井下地面材との間を通じて内壁面材の表面側に引き出されており、その引き出された部分が天井下地面材と、その下方に設けられた廻り縁及び天井仕上げ面材の少なくともいずれかとの間に挟み込まれている。この場合、内壁面材の上端部と天井下地面材との間の隙間を上耳部により覆うことができるため、内壁面材と天井下地面材との間を通じて空気が出入りするのを抑制できる。その結果、内壁面材の上下端部それぞれにおいて空気の出入りを抑制でき、気密性の向上を図ることができる。
【００１４】
ところで、天井仕上げ面材としてはクロス等のシート材が用いられることが考えられる。この場合、天井仕上げ面材と天井下地面材との間に上耳部を挟み込む構成とすると、天井仕上げ面材に不陸が生じて天井側の美観が損なわれるおそれがある。この点を鑑みると、廻り縁と天井下地面材との間に上耳部を挟み込む構成とするのが望ましいといえる。
【００１５】
第４の発明の建物の気密構造は、第３の発明において、前記内壁面材と、その上方に設けられた天井下地面材との境界部に沿って廻り縁が設けられており、前記上耳部は、前記内壁面材の上端部と前記天井下地面材との間を通じて前記内壁面材の表面側に延び、その端部が屋内空間側に露出しない状態で前記天井下地面材と前記廻り縁との間に挟み込まれていることを特徴とする。
【００１６】
本発明によれば、上記第３の発明と同様に、内壁面材の上端部と天井下地面材との間を通じた空気の出入りを抑制できる。そして、下耳部の端部が廻り縁と天井下地面材との間に、屋内空間側に露出することなく挟み込まれているため、屋内空間の美観を損なうことなく上記の効果を得ることができる。
【００１７】
第５の発明の建物の気密構造は、第１乃至第４のいずれかの発明において、前記内壁面材と、前記壁内断熱材と、前記内壁面材の裏面側において前記壁内断熱材の周囲に設けられる内壁フレームとを有する内壁パネルを備え、前記内壁パネルが、横並びに複数設置されている建物に適用され、前記内壁パネルにおいて、前記内壁フレームは、前記内壁面材の側縁に沿って設けられる縦枠材を有し、該縦枠材と前記内壁面材との間には、前記壁内断熱材の耳部において前記繊維系材料から側方に延出する側耳部が挟み込まれており、隣り合う前記内壁パネルにおいて、一方の内壁パネルの前記縦枠材は、他方の内壁パネル側にはみ出して同パネルの内壁面材と対向する対向部を有し、それら対向し合う当該内壁面材と当該対向部との間には、前記一方の内壁パネルにおいて前記縦枠材と前記内壁面材との間に挟み込まれた前記側耳部の端縁部及び、前記他方の内壁パネルにおける前記壁内断熱材の側耳部のうち少なくともいずれかが挟み込まれていることを特徴とする。
【００１８】
本発明によれば、隣り合う各内壁パネルにおいて、一方の内壁パネルにおける内壁面材の裏面に設けられた縦枠材の対向部が、他方の内壁パネルにおける内壁面材の裏面に対向して設けられている。この場合、当該縦枠材は、各内壁パネルの内壁面材の裏面に跨って配設されている。ここで、一方の内壁パネルでは、当該縦枠材と内壁面材との間に壁内断熱材の側耳部が挟み込まれているため、当該縦枠材と内壁面材との間を通じた空気の出入りが抑制されている。それに対して、当該縦枠材の対向部と他方の内壁パネルの内壁面材との間には、一方の内壁パネルにおいて当該縦枠材と内壁面材との間に挟み込まれた側耳部の端部（詳しくは、当該側耳部において内壁面材よりも側方にはみ出した部分）及び、他方の内壁パネルにおける壁内断熱材の側耳部のうち少なくともいずれかが挟みこまれているため、当該縦枠材と当該内壁面材（他方の内壁パネルの内壁面材）との間を通じた空気の出入りが抑制されている。以上により、隣り合う各内壁パネル（内壁面材）の間を通じて空気が出入りするのを抑制でき、その結果気密性を高めることができる。
【００１９】
第６の発明の建物の気密構造は、第５の発明において、前記一方の内壁パネルにおいて前記縦枠材と前記内壁面材との間に挟み込まれた前記側耳部は該内壁面材よりも側方に一部はみ出しており、そのはみ出した部分が前記他方の内壁パネルにおける前記側耳部と重ね合わせられた状態で、前記対向部と前記他方の内壁パネルの内壁面材との間に挟み込まれていることを特徴とする。
【００２０】
本発明によれば、一方の内壁パネルにおける壁内断熱材の側耳部が縦枠材と内壁面材との間に挟み込まれた状態において、その一部が当該内壁面材よりも側方にはみ出している。そして、そのはみ出した部分が他方の内壁パネルにおける壁内断熱材の側耳部と重ね合わせられ、その重ね合わせ状態で一方の内壁パネルの対向部と他方の内壁パネルの内壁面材との間に挟み込まれている。この場合、内壁パネル間の気密性をより一層高めることができる。
【００２１】
第７の発明の建物の気密構造は、第１乃至第６のいずれかの発明において、前記内壁面材には、前記壁内断熱材と、前記内壁面材の下端面に対向した状態で配置されたガイド部材とがそれぞれ一体に設けられ、前記下耳部は、前記ガイド部材と前記内壁面材の下端面との間に挟み込まれた状態で設けられることにより、前記内壁面材の表面側に延びていることを特徴とする。
【００２２】
ところで、内壁面材に壁内断熱材を一体に設けた構成では、内壁面材を持ち上げて床下地面材上に設置する際に、壁内断熱材の下耳部が下方に垂れ下がった状態になることが想定され、その垂れ下がり状態で内壁面材を床下地面材上に設置すると、下耳部が内壁面材の裏面側に入り込んでしまうおそれがある。そこで、本発明では、内壁面材の下端面に対向した状態でガイド部材を内壁面材に一体に設け、そのガイド部材と内壁面材の下端面との間に下耳部を挟み込むことにより、当該下耳部を内壁面材の表面側に引き出すこととしている。この場合、下耳部が内壁面材の表面側に引き出された状態で内壁面材の設置作業を行うことができるため、上記の不都合が生じるのを抑制できる。
【００２３】
第８の発明の建物の気密構造は、第１乃至第７のいずれかの発明において、前記耳部を有してなる前記表被材は、防湿性を有する材料からなることを特徴とする。
【００２４】
本発明によれば、耳部を有してなる壁内断熱材の表被材が防湿性を有する材料により形成されているため、上記第１乃至第７の各発明において、気密効果に加え防湿効果を得ることができる。
【００２５】
第９の発明の建物の気密構造は、第１乃至第８のいずれかの発明において、前記内壁面材の裏面側には、前記壁内断熱材を囲んで内壁フレームが設けられ、前記壁内断熱材の前記表被材の耳部は、前記内壁フレームと前記内壁面材との間に挟み込まれていることを特徴とする。
【００２６】
本発明によれば、内壁フレームと内壁面材の裏面との間に表被材の耳部が挟み込まれているため、内壁面材の裏面と耳部との間を通じて空気が出入りするのを抑制でき、その結果内壁面材の端面と耳部との間を通じて空気が出入りするのを抑制できる。これにより、気密効果をさらに高めることができる。
【図面の簡単な説明】
【００２７】
【図１】第１の実施形態における建物の外壁周辺の構成を示す縦断面図。
【図２】外壁構造の構成を示す横断面図。
【図３】外壁フレームにおける木レンガの配置状態を示す斜視図。
【図４】内壁パネルの構成を示す斜視図。
【図５】（ａ）が壁内断熱材の構成を示す正面図、（ｂ）が同構成を示す側面図。
【図６】内壁パネルが床下地材上に設置された状態を示す斜視図。
【図７】図６の構成において床下地材上に床仕上げ材が敷設された状態を示す斜視図。
【図８】内壁パネルと天井材との境界部の構成を示す縦断面図。
【図９】気密構造を構築する際の作業手順を説明するための説明図。
【図１０】第２の実施形態における内壁パネルの構成を示す横断面図。
【図１１】（ａ）が内壁フレームを示す正面図、（ｂ）が壁内断熱材を示す正面図。
【図１２】内壁パネルが横並びに設置された状態を示す横断面図。
【図１３】床下地材上に内壁パネルが設置された状態を示す斜視図。
【図１４】内壁パネルと天井材との境界部の構成を示す縦断面図。
【図１５】他の実施形態におけるガイド部材を備えた内壁パネルを示す縦断面図。
【図１６】隣り合う内壁パネルの並び状態を示す横断面図。
【図１７】建物の外壁周辺の構成を示す縦断面図。
【図１８】断熱材ユニットを示す斜視図。
【図１９】外壁フレームに対する断熱材ユニットの固定状態を示す正面図。
【図２０】断熱材ユニットに設けられた係合部材を示す斜視図。
【図２１】係合部材により断熱材ユニットが位置決めされた状態を示す横断面図。
【図２２】隣接する縦フレーム材間の溝部に被係合部が設けられた状態を示す斜視図。
【図２３】隣接する縦フレーム材と断熱材ユニットとを示し、（ａ）が断熱材ユニットを縦フレーム材から離した状態を示す斜視図、（ｂ）が断熱材ユニットを縦フレーム材に固定した状態を示す斜視図。
【図２４】係合部材の別形態を示す縦断面図。
【発明を実施するための形態】
【００２８】
〔第１の実施形態〕
以下に、本発明を具体化した一実施の形態について図面を参照しつつ説明する。本実施形態では、建物としてユニット式建物について具体化しており、そのユニット式建物は、梁及び柱よりなる複数の建物ユニットを互いに連結することで構成されている。なお、図１は建物の外壁周辺の構成を示す縦断面図であり、図２は外壁構造の構成を示す横断面図である。また、図２は、図１のＡ−Ａ線断面図である。
【００２９】
図１に示すように、建物１０の外壁構造において、屋外側には外壁パネル１１が設けられており、その屋内側には内壁パネル１２が設けられている。外壁パネル１１は、屋外面を形成する外壁材１４と、外壁材１４の裏面側（屋内面側）に固定された外壁フレーム１５とを備えている。外壁材１４は、例えば窯業系サイディング等の外装材により形成されている。
【００３０】
外壁フレーム１５は、断面コ字状の溝形鋼からなる複数のフレーム材１５ａ〜１５ｃが矩形枠状に連結されることにより構成されている。具体的には、外壁フレーム１５は、外壁材１４の幅方向両端部において上下方向に延びる縦フレーム材１５ａと、外壁材１４の上下方向両端部において左右方向（外壁材１４の幅方向）に延びる横フレーム材１５ｂと、外壁材１４の上下方向中間部において左右方向に延びる中間フレーム材１５ｃとを有している。なお、詳細には、これら各フレーム材１５ａ〜１５ｃのうち縦フレーム材１５ａについては、天井大梁１８及び床大梁１７との干渉を回避すべく上下方向両端側の一部が取り除かれている。
【００３１】
外壁フレーム１５の各横フレーム材１５ｂは、それぞれ床大梁１７及び天井大梁１８に対しボルト等により固定されている。これにより、外壁パネル１１が建物１０に対して固定されている。また、図２に示すように、外壁パネル１１は建物１０の外周部において横並びに複数設置されており、隣り合う外壁パネル１１の外壁フレーム１５（詳細には縦フレーム材１５ａ）同士が当接された状態でボルト等により連結されている。
【００３２】
外壁パネル１１の外壁フレーム１５の屋内側面には、複数の木レンガ１９がタッピングネジ等により固定されている。木レンガ１９は、略直方体形状の木材からなる外壁下地材である。図３には、外壁フレーム１５における木レンガ１９の配置状態を示す。図３に示すように、木レンガ１９は、隣り合う外壁フレーム１５の隣接する各縦フレーム材１５ａに跨った状態で縦フレーム材１５ａの長手方向に沿って所定間隔で複数（図３では４つ）配置されている。
【００３３】
次に、内壁パネル１２の構成について図４に基づいて説明する。なお、図４は、内壁パネル１２の構成を示す斜視図である。
【００３４】
図４に示すように、内壁パネル１２は、屋内面を形成する内壁材２１と、内壁材２１の裏面側（屋外面側）に固定された内壁フレーム２２と、内壁フレーム２２の枠内部に組み込まれた壁内断熱材２３と、内壁フレーム２２の屋外側面に固定されたフレーム断熱材２４とを備えている。内壁パネル１２は、外壁パネル１１と略同じ大きさ（縦横寸法）で形成されている。
【００３５】
内壁材２１は、例えば石膏ボードにより形成されている。内壁フレーム２２は、木製の角材からなる複数のフレーム材２２ａ〜２２ｃが矩形枠状に連結されることにより構成されている。具体的には、内壁フレーム２２は、内壁材２１の幅方向両端部において上下方向（高さ方向）に延びる縦フレーム材２２ａと、内壁材２１の上下方向両端部において左右方向に延びる横フレーム材２２ｂと、内壁材２１の幅方向中間部において上下方向に延びる中間フレーム材２２ｃとを有している。したがって、内壁フレーム２２には、これら各フレーム材２２ａ〜２２ｃにより囲まれた２つの枠内領域Ｓが形成されている。
【００３６】
壁内断熱材２３は、防湿性を有するポリエチレンフィルム等を袋状に形成した袋体２６の中にグラスウール等の繊維系断熱材２７を充填してなるものである。図５には壁内断熱材２３の構成が示されており、（ａ）が同構成を示す正面図、（ｂ）が側面図である。
【００３７】
図５に示すように、壁内断熱材２３は、２つの繊維系断熱材２７を有している。繊維系断熱材２７は、所定の厚みを有した矩形板状に形成されており、内壁フレーム２２の枠内領域Ｓと略同じ大きさ（縦横寸法）を有している。各繊維系断熱材２７は短手方向に横並びで設けられ、内壁フレーム２２の２つの枠内領域Ｓと同じ間隔で配置されている。
【００３８】
袋体２６は、各繊維系断熱材２７の一方の板面に跨って設けられそれら各板面を覆うフィルム材２６ａと、各繊維系断熱材２７の他方の板面を覆うとともに各板面の間の４つの側面を連続して覆うフィルム材２６ｂとを有し、それら各フィルム材２６ａ，２６ｂが溶着又は接着されることにより形成されている。フィルム材２６ａは、長方形状をなしており、その上下高さが繊維系断熱材２７の上下高さよりも大きく、かつ、その幅が繊維系断熱材２７の幅（詳細には２つの繊維系断熱材２７の幅寸法の和）よりも大きくなっている。この場合、フィルム材２６ａは、各繊維系断熱材２７の一方の板面に設けられた状態において、その周縁側、より詳しくはその四辺の端縁側がそれぞれ繊維系断熱材２７よりも外側に延出しており、この延出した部分が袋体２６の耳部２８となっている。
【００３９】
一方、フィルム材２６ｂにおいて繊維系断熱材２７の他方の板面を覆う部分には同断熱材２７の湿気を袋体２６の外に逃がすための通気穴（図示略）が多数設けられている。後述するように、壁内断熱材２３は、壁内（詳しくは内壁材２１と外壁材１４との間の壁内）において袋体２６のフィルム材２６ａを屋内側、フィルム材２６ｂを屋外側に向けた状態で設けられる。この場合、屋内側の湿気が袋体２６の中に入り込むのをフィルム材２６ａにより抑制するとともに、袋体２６の中に入り込んだ湿気をフィルム材２６ｂを通じて袋体２６の外に逃がすことができる。
【００４０】
図４の説明に戻り、壁内断熱材２３は、２つの繊維系断熱材２７が内壁フレーム２２の各枠内領域Ｓにそれぞれ配設され、かつ、袋体２６（フィルム材２６ａ）の耳部２８（詳細には、さらにフィルム材２６ａにおける各繊維系断熱材２７の間の部分）が内壁フレーム２２と内壁材２１の裏面との間に挟み込まれた状態で組み込まれている。この場合、各繊維系断熱材２７（詳しくはその外表面の袋体２６）は、各フレーム材２２ａ〜２２ｃの内側面との間に隙間のない状態で設けられており、袋体２６のフィルム材２６ａは内壁材２１の裏面に当接されている。
【００４１】
フレーム断熱材２４は、ポリスチレンフォーム等の樹脂系断熱材からなり、矩形断面を有する棒状（角棒状）をなしている。フレーム断熱材２４は、内壁フレーム２２の各縦フレーム材２２ａ及び中間フレーム材２２ｃにおいて内壁材２１の固定面とは反対側の面に各々のフレーム材２２ａ〜２２ｃに沿って延びる向きでタッピングネジ等により固定されている。フレーム断熱材２４は、各フレーム材２２ａ〜２２ｃにおいてそれぞれ各々のフレーム材２２ａ〜２２ｃの延びる方向に所定の間隔で複数（図４では３つ）ずつ設けられており、各々のフレーム材２２ａ〜２２ｃにおいて各フレーム断熱材２４の間には後述するように木レンガ１９が配置されるようになっている。
【００４２】
フレーム断熱材２４は、壁内断熱材２３を設置できない内壁フレーム２２の配設部位に設けられることで、同フレーム２２が熱橋となるのを抑制している。この点からすると、壁内断熱材２３を主断熱部、フレーム断熱材２４を副断熱部と言うこともできる。なお、フレーム断熱材２４は、ポリスチレンフォームに代えて、硬質ウレタンフォームやフェノールフォーム等その他の樹脂系断熱材により形成されていてもよい。
【００４３】
図１及び図２の説明に戻り、内壁パネル１２は外壁パネル１１よりも屋内側に設置された状態において、内壁フレーム２２が各木レンガ１９の屋内側面にタッピングネジ等により固定されている。具体的には、図２に示すように、内壁フレーム２２の各縦フレーム材２２ａ及び中間フレーム材２２ｃがそれぞれ木レンガ１９に固定されている。この場合、内壁パネル１２の壁内断熱材２３は外壁材１４と内壁材２１との間の壁内空間に配設されており、これにより外壁構造の断熱性能が確保されている。また、内壁パネル１２の設置状態では、各フレーム断熱材２４がそれぞれ木レンガ１９と上下に交互に並び、かつ、木レンガ１９と当接又は近接された状態で配置されている。
【００４４】
建物１０におけるその他の構成として、床大梁１７の上面には床根太３１が設けられている。床根太３１上には、パーティクルボードよりなる床下地材３２が設けられ、床下地材３２上には、フローリングよりなる床仕上げ材３３が設けられている。内壁パネル１２の下端部には巾木３４が設けられており、この巾木３４により床仕上げ材３３と内壁パネル１２との間の見切りが行われている。
【００４５】
一方、天井大梁１８の下面には野縁３６が固定されている。野縁３６の下面には２枚重ねの石膏ボードよりなる天井下地材３７が固定され、天井下地材３７の下面にはクロスからなる天井仕上げ材３９が貼り付けられている。内壁パネル１２の上端部には廻り縁３８が設けられており、この廻り縁３８により天井仕上げ材３９と内壁パネル１２との間の見切りが行われている。
【００４６】
ところで、本実施形態では、内壁パネル１２の下端部と床下地材３２との間を通じて外気が出入りするのを抑制すべく特徴的な気密構造を有している。以下、かかる気密構造について図４及び図５に加え図６及び図７を用いて説明する。
【００４７】
図４及び図５に示すように、壁内断熱材２３の袋体２６のフィルム材２６ａは、その幅が内壁材２１の横幅と略同じとなっているのに対し、その上下高さが内壁材２１の上下高さよりも大きくなっている。具体的には、フィルム材２６ａの耳部２８において、繊維系断熱材２７よりも側方に延出した側耳部２８ｃはその延出長さ（横幅）Ｌ３が内壁フレーム２２の縦フレーム材２２ａの幅寸法と略同じとなっているのに対し、繊維系断熱材２７よりも下方に延出した下耳部２８ａと、繊維系断熱材２７よりも上方に延出した上耳部２８ｂとは、その延出長さ（上下高さ）Ｌ１，Ｌ２が内壁フレーム２２の横フレーム材２２ｂの幅よりも大きくなっている。なお、より詳しくは、下耳部２８ａの延出長さＬ１は、上耳部２５ａの延出長さＬ２よりも長くなっている。
【００４８】
壁内断熱材２３は、上述したように、袋体２６の耳部２８が内壁フレーム２２と内壁材２１との間に挟み込まれた状態で同フレーム２２に組み込まれている。この場合、側耳部２８ｃが、縦フレーム材２２ａと内壁材２１との間に同フレーム材２２ａ（換言すると内壁材２１）から側方にはみ出すことなく挟み込まれているのに対し、下耳部２８ａが、下側の横フレーム材２２ｂと内壁材２１との間に同フレーム材２２ｂから一部下方にはみ出した状態で挟み込まれ、上耳部２８ｂが、上側の横フレーム材２２ｂと内壁材２１との間に同フレーム材２２ｂから一部上方にはみ出した状態で挟み込まれている。
【００４９】
次に、内壁パネル１２と床部との境界部の構成について図６及び図７に基づいて説明する。図６は、内壁パネル１２が床下地材３２上に設置された状態を示す斜視図であり、図７は、図６の構成において床下地材３２上に床仕上げ材３３が敷設された状態を示す斜視図である。なお、図６及び図７中の符号４１は本建物１０を下方から支持する基礎であり、その上端には床大梁１７が設置されている。
【００５０】
図６に示すように、床下地材３２は、床大梁１７上に設けられた床根太３１の上と、床小梁４２上に設けられた床根太４６の上とに設置されている。床下地材３２の下面側には、グラスウールよりなる床下断熱材４３が各床根太３１，４６間に配設されており、床下の断熱が図られている。
【００５１】
床下地材３２上には、複数の内壁パネル１２が横並びで設置されており、これら各内壁パネル１２により内壁部が構成されている。内壁パネル１２が床下地材３２上に設置された状態では、壁内断熱材２３の袋体２６の下耳部２８ａが内壁材２１の下端部と床下地材３２の上面との間を通じて内壁材２１の表面側（屋内面側）すなわち屋内空間Ｘ側に一部引き出されている。
【００５２】
図７に示すように、床下地材３２上には床仕上げ材３３が敷設されている。この場合、下耳部２８ａの一部、すなわち下耳部２８ａにおいて内壁材２１の表面側に引き出された部分が床下地材３２と床仕上げ材３３との間に挟み込まれており、床仕上げ材３３と内壁材２１との間の隙間４９が下耳部２８ａによって下方から塞がれた状態となっている。これにより、当該隙間４９を通じて空気が出入りするのを抑制でき、その結果気密性の確保を図ることができる。また、内壁パネル１２の下端部には上記隙間４９を上方から塞ぐようにして巾木３４が設けられている。
【００５３】
なお、内壁パネル１２の壁内断熱材２３と、外壁パネル１１の外壁材１４との間には上下に延びる通気層４５が形成されており、この通気層４５には、外壁材１４の下端部と床大梁１７との間を通じて外気が出入りするようになっている。また、図７及び図８では外壁材１４の下端部と床大梁１７との間に外壁フレーム１５の横フレーム材１５ｂが配設されているが、同フレーム材１５ｂには図示しない複数の通気孔が設けられ、その通気孔を通じて外気が出入りするようになっている。
【００５４】
次に、内壁パネル１２と天井部との境界部の構成について図８に基づいて説明する。なお、図８は内壁パネル１２と天井材３７，３９との境界部の構成を示す縦断面図である。
【００５５】
図８に示すように、内壁パネル１２の内壁材２１の上端部と天井下地材３７との間には所定の隙間５１が形成されており、その隙間５１を通じて壁内断熱材２３の袋体２６の上耳部２８ｂが内壁材２１の表面側（屋内面側）に一部引き出されている。袋体２６において当該引き出された部分は天井下地材３７と廻り縁３８との間に挟み込まれている。換言すると、廻り縁３８は、その上端部と天井下地材３７との間に当該引き出された部分を挟み込んだ状態で、内壁材２１の屋内面に接着等により固定されている。これにより、上耳部２８ｂにより天井下地材３７と廻り縁３８との間の隙間５１が覆われるため、当該隙間５１を通じて空気が出入りするのを抑制できる。
【００５６】
また、上耳部２８ｂは、その端縁が天井下地材３７と廻り縁３８との間に配置された状態で挟み込まれている。すなわち、上耳部２８ｂは、屋内空間Ｘ側に露出しない状態でそれら両者３７，３８の間に挟み込まれており、これにより、内壁パネル１２上端側の美観が損なわれるのを回避しつつ、天井下地材３７と廻り縁３８との間の気密性を確保できるようになっている。
【００５７】
次に、壁内断熱材２３の袋体２６（耳部２８）を用いた上記の気密構造を構築する際の作業手順について図９を用いて説明する。なお、図９は、かかる作業手順を説明するための説明図である。
【００５８】
建物１０の外壁構造を構築する際には、まず外壁パネル１１を建物１０に組み付け、その後、外壁パネル１１の外壁フレーム１５に各木レンガ１９を固定する。
【００５９】
次に、図９（ａ）に示すように、木レンガ１９に対して内壁パネル１２を屋内側から組み付ける。具体的には、内壁フレーム２２を木レンガ１９の屋内側面に固定する。この作業に際しては、壁内断熱材２３の袋体２６の下耳部２８ａ及び上耳部２８ｂをそれぞれ内壁材２１の表面側に引き出した状態で行う。これにより、内壁パネル１２が組み付けられると、図９（ｂ）に示すように、内壁材２１の下端部と床下地材３２との間を通じて下耳部２８ａの一部が内壁材２１の屋内側に引き出された状態になるとともに、内壁材２１の上端部と天井下地材３７との隙間５１を通じて上耳部２８ｂの一部が内壁材２１の屋内側に引き出された状態となる。
【００６０】
その後、上記の手順で各内壁パネル１２を設置する。各内壁パネル１２を設置した後、図９（ｃ）に示すように、床下地材３２上に床仕上げ材３３を敷設する。これにより、床下地材３２と床仕上げ材３３との間に各内壁パネル１２の袋体２６の下耳部２８ａが挟み込まれる。その後、内壁パネル１２の下端部に沿って巾木３４を取り付ける。
【００６１】
次に、図９（ｄ）に示すように、内壁パネル１２の上端部と天井下地材３７との境界部に沿って廻り縁３８を取り付ける。このとき、天井下地材３７と廻り縁３８との間に袋体２６の上耳部２８ｂを挟み込んだ状態で廻り縁３８の取り付けを行う。これをもって、一連の作業が終了する。
【００６２】
以上、詳述した本実施形態の構成によれば、以下の優れた効果が得られる。
【００６３】
内壁材２１の裏面側に設けられた壁内断熱材２３の袋体２６の耳部２８のうち繊維系断熱材２７の下側から延出した下耳部２８ａを、内壁材２１の下端部と床下地材３２との間を通じて内壁材２１の表面側に延ばし、その一部を床下地材３２とその上に敷設される床仕上げ材３３との間に挟み込むようにした。この場合、内壁材２１と床仕上げ材３３との間の隙間４９が下耳部２８ａにより下方から覆われるため、内壁材２１と床仕上げ材３３との間を通じて空気が出入りするのを抑制でき、その結果気密性の確保が図れる。また、かかる気密構造を構築（製造）するに際しては、まず下耳部２８ａを内壁材２１の表面側に引き出した状態で内壁パネル１２を床下地材３２上に設置し、その後床下地材３２上に床仕上げ材３３を設置するといった簡易な作業を行うことで、それら両者３２，３３の間に下耳部２８ａを挟み込むことができる。そのため、製造時における作業工数の削減を図ることができる。
【００６４】
壁内断熱材２３の袋体２６の耳部２８のうち繊維系断熱材２７の上側から延出した上耳部２８ｂを、内壁材２１の上端部と天井下地材３７との間を通じて内壁材２１の表面側に延ばし、その一部を天井下地材３７とその下方に設けられた廻り縁３８との間に挟み込むようにした。この場合、内壁材２１の上端部と天井下地材３７との間の隙間５１を上耳部２８ｂにより覆うことができるため、当該隙間５１を通じて空気が出入りするのを抑制できる。その結果、内壁材２１の上下端部それぞれにおいて空気の出入りを抑制でき、気密性の向上を図ることができる。
【００６５】
ところで、天井下地材３７と、その下面に設けられたクロスからなる天井仕上げ材３９との間に上耳部２８ｂを挟み込むようにしても上述の効果は得られるが、その場合天井仕上げ材３９に不陸が生じて天井側の美観が損なわれるおそれがある。その点、廻り縁３８と天井下地材３７との間に上耳部２８ｂを挟み込む上記の構成とすれば、かかる不都合を回避しつつ気密性の向上が図れる。
【００６６】
内壁材２１の裏面側に壁内断熱材２３を囲むようにして内壁フレーム２２を設け、その内壁フレーム２２と内壁材２１との間に袋体２６の耳部２８を挟み込むようにした。この場合、内壁材２１の裏面と耳部２８との間を通じて空気が出入りするのを抑制でき、その結果内壁材２１の下端面と下耳部２８ａとの間、及び内壁材２１の上端面と上耳部２８ｂとの間を通じて空気が出入りするのを抑制できる。これにより、気密効果をさらに高めることができる。
【００６７】
耳部２８を有してなる袋体２６を、防湿性を有する材料により形成した。そのため、上述した気密効果に加え防湿効果を得ることができる。
【００６８】
〔第２の実施形態〕
本実施形態では、壁内断熱材２３の袋体２６の耳部２８を用いて、さらに隣り合う内壁パネル１２の間の気密を行うこととしている。以下、本実施形態の構成を、第１の実施形態との相違点を中心に図１０に基づいて説明する。なお、図１０は本実施形態における内壁パネルの構成を示す横断面図である。また、図１０では、第１の実施形態と同一の構成については同じ符号を付してその説明を省略する。
【００６９】
図１０に示すように、本実施形態の内壁パネル５５は、第１実施形態の内壁パネル１２と同様、内壁材２１と、内壁材２１の裏面側（屋内面側）に固定された内壁フレーム５７と、内壁フレーム５７の枠内部に組み込まれた壁内断熱材５８とを備えて構成されている。ここで、本内壁パネル５５では、内壁材２１が第１の実施形態と同様の構成である一方、内壁フレーム５７及び壁内断熱材５８が第１の実施形態と異なる構成を有している。以下、内壁フレーム５７及び壁内断熱材５８の構成を図１１に基づいて説明する。なお、図１１において（ａ）は内壁フレーム５７を示す正面図、（ｂ）は壁内断熱材５８を示す正面図である。また、図１１では、参考として、内壁材２１を一点鎖線で図示している。
【００７０】
図１１（ａ）に示すように、内壁フレーム５７は、木製の角材からなる複数のフレーム材５７ａ〜５７ｃが互いに連結されることにより構成されている。具体的には、内壁フレーム５７は、内壁材２１の上下方向両端部において左右方向に延びる上下一対の横フレーム材５７ａと、内壁材２１の幅方向の一端部において上下方向（高さ方向）に延びる縦フレーム材５７ｂと、内壁材２１の幅方向中間部において上下方向に延びる中間フレーム材５７ｃとを有している。したがって、本実施形態の内壁フレーム５７は、基本的には、第１実施形態の内壁フレーム２２の各縦フレーム材２２ａのうちから一方を取り除いた構成となっている。この場合、内壁フレーム５７において、各フレーム材５７ａ〜５７ｃにより囲まれてなる２つの枠内領域Ｒ１，Ｒ２のうち、一方の枠内領域Ｒ１は各フレーム材５７ａ〜５７ｃにより四方が囲まれてなる一方、他方の枠内領域Ｒ２は横フレーム材５７ａ及び中間フレーム材５７ｃにより三方のみ囲まれてなり枠内領域Ｒ２の一方が開放されている。
【００７１】
また、縦フレーム材５７ｂは、その幅（詳しくは、縦フレーム材５７ｂの長手方向に直交しかつ内壁材２１の壁面に沿う方向の長さ）が第１実施形態の縦フレーム材２２ａの幅よりも大きくなっている。具体的には、縦フレーム材５７ｂの幅は、縦フレーム材２２ａの幅の２倍となっている。したがって、内壁フレーム５７は、幅方向の一方にしか縦フレーム材５７ｂを有していないものの、その幅寸法が内壁フレーム２２と略同じとなっている。なお、内壁フレーム５７の大きさ（詳しくは縦横寸法）は内壁材２１の大きさと略同じとなっている。
【００７２】
壁内断熱材５８は、図１１（ｂ）に示すように、基本的に第１実施形態の壁内断熱材２３と同様の構成を有しており、防湿性を有するポリエチレンフィルム等を袋状に形成した袋体６１の中に２つの繊維系断熱材２７を充填してなる。袋体６１は、第１実施形態の袋体２６と同様に、フィルム材６１ａ，６１ｂが溶着又は接着されることで形成され、フィルム材６１ａの周縁側が繊維系断熱材２７から外側に延出した耳部６３となっている。以下においては、耳部６３において、フィルム材６１ａよりも下方、上方、側方に延出したそれぞれの部分を下耳部６３ａ、上耳部６３ｂ、側耳部６３ｃ，６３ｄという。
【００７３】
フィルム材６１ａは、その上下高さが内壁材２１の上下高さよりも大きく、かつ、その幅が内壁材２１の幅よりも大きくなっている。フィルム材６１ａの各側耳部６３ｃ，６３ｄのうち、一方の側耳部６３ｃは他方の側耳部６３ｄと比べ、繊維系断熱材２７からの延出長さが大きくなっている。具体的には、一方の側耳部６３ｃの延出長さＬ４は縦フレーム材５７ｂの幅と略同じとなっているのに対し、他方の側耳部６３ｄの延出長さＬ５は縦フレーム材５７ｂの幅の半分となっている。
【００７４】
図１０に示すように、内壁フレーム５７は内壁材２１の裏面において同内壁材２１に対し横方向に位置ずれさせた状態で固定されている。この場合、内壁パネル５５の幅方向一端側では、内壁フレーム５７の縦フレーム材５７ｂが内壁材２１（詳細にはその側端部）から一部側方にはみ出しており、詳しくは縦フレーム材５７ｂの幅方向半分の部分がはみ出している。なお、以下においては、このはみ出した部分をフレームはみ出し部６４といい、場合によっては単にはみ出し部６４という。
【００７５】
一方、内壁パネル５５の幅方向他端側では内壁材２１の一部が内壁フレーム５７（詳しくは横フレーム材５７ａの端部）よりも側方にはみ出しており、詳しくは縦フレーム材５７ｂの幅の半分の長さ分はみ出している。なお、以下においては、このはみ出した部分を壁はみ出し部６５といい、場合によっては単にはみ出し部６５という。
【００７６】
壁内断熱材５８は、各繊維系断熱材２７が内壁フレーム５７の各枠内領域Ｒ１，Ｒ２にそれぞれ配設され、かつ、袋体６１のフィルム材６１ａが内壁フレーム５７と内壁材２１の裏面との間に挟み込まれた状態で組み込まれている。この場合、袋体６１の一方の側耳部６３ｃは、縦フレーム材５７ｂと内壁材２１との間に挟み込まれており、その一部が内壁材２１よりも側方にはみ出している。以下、このはみ出した部分をはみ出し部６６という。また、他方の側耳部６３ｃは、内壁材２１のはみ出し部６５の裏面に沿って設けられている。
【００７７】
下耳部６３ａは、下側の横フレーム材５７ａと内壁材２１との間に挟み込まれ、その一部が同フレーム材５７ａよりも下方にはみ出している。また、上耳部６３ｂは、上側の横フレーム材５７ａと内壁材２１との間に挟み込まれ、その一部が同フレーム材５７ａよりも上方にはみ出している。
【００７８】
次に、上記内壁パネル５５の設置構成について図１２に基づいて説明する。なお、図１２は内壁パネル５５が横並びに設置された状態を示す横断面図である。
【００７９】
図１２に示すように、床下地材３２上には、複数の内壁パネル５５が横並びに設けられている。この場合、隣り合う各内壁パネル５５において、一方の内壁パネル５５の内壁フレーム５７のはみ出し部６４は他方の内壁パネル５５の内壁材２１のはみ出し部６５と対向して設けられている。そして、これら各はみ出し部６４，６５の間には、一方の内壁パネル５５の壁内断熱材５８における袋体６１の側耳部６３ｃ（詳細にはそのはみ出し部６６）と、他方の内壁パネル５５の壁内断熱材５８における袋体６１の側耳部６３ｄとが重ね合わせられて設けられており、その重ね合わせ状態でこれら各側耳部６３ｃ，６３ｄが両はみ出し部６４，６５の間に挟み込まれている。これにより、隣り合う各内壁パネル５５の間を通じて空気が出入りするのが抑制されている。なお、隣り合う内壁パネル５５の各はみ出し部６４，６５は、それら両者６４，６５の間に側耳部６３ｃ，６３ｄを挟み込んだ状態でビス等で互いに固定されている。
【００８０】
次に、内壁パネル５５と床部との間の境界部の構成を図１３に基づいて説明する。なお、図１３は、床下地材３２上に内壁パネル５５が設置された状態を示す斜視図である。
【００８１】
図１３に示すように、床下地材３２上には、複数の内壁パネル５５が横並びで設置されている。かかる設置状態において、壁内断熱材５８の袋体６１の下耳部６３ａは内壁材２１の下端部と床下地材３２との間を通じて内壁材２１の表面側（屋内面側）に一部引き出されている。ここで、上述したように、本実施形態の袋体６１では側耳部６３ｃの一部（詳しくははみ出し部６６）が内壁材２１よりも側方にはみ出しているため、下耳部６３ａにおいても一部が内壁材２１よりも側方にはみ出している。換言すると、下耳部６３ａにおいてはみ出し部６６と重複する部分が内壁材２１よりも側方にはみ出しており、そのはみ出した（延出した）部分が延出部６８となっている。したがって、下耳部６３ａにおいて内壁材２１の屋内側に引き出された部分はその一部（延出部６８に対応する部分）が当該内壁材２１よりも側方に延出している。
【００８２】
この場合、隣り合う各内壁パネル５５において、一方の内壁パネル５５の壁内断熱材５８における袋体６１の下耳部６３ａの延出部６８が、他方の内壁パネル５５の壁内断熱材５８における袋体６１の下耳部６３ａと重ね合わせられて設けられており、これにより下耳部６３ａが内壁パネル５５の幅方向に沿って連続して配置されている。そして、図示は省略するが、第１実施形態と同様、床下地材３２上に床仕上げ材３３が敷設されることで、それら両者３２，３３の間に下耳部６３ａが挟み込まれ、これにより床仕上げ材３３と内壁材２１との間を通じて空気が出入りするのが抑制されている。
【００８３】
次に、内壁パネル５５と天井部との境界部の構成を図１４に基づいて説明する。なお、図１４は、内壁パネル５５と天井材３７，３９との境界部の構成を示す縦断面図である。また、本実施形態の建物１０には、廻り縁３８が設けられていない。
【００８４】
図１４に示すように、壁内断熱材５８の袋体６１の上耳部６３ｂは、内壁材２１の上端部と天井下地材３７との間を通じてその一部が内壁材２１の表面側（屋内面側）に引き出されており、その引き出された部分が天井下地材３７と天井仕上げ材３９との間に挟み込まれている。この場合、内壁材２１と天井仕上げ材３９との間が上耳部６３ｂにより閉塞されているため、それら両者２１，３９の間を通じて、ひいては内壁材２１の上端部と天井下地材３７との間を通じて外気が出入りするのを抑制できる。
【００８５】
次に、上述の内壁パネル５５を設置する際の作業手順について図１２に基づいて説明する。なお、ここでは第１の実施形態における内壁パネル１２の設置作業と重複する内容については説明を省略する。
【００８６】
まず、図１２に示すように、最初の内壁パネル５５Ａを木レンガ１９に組み付ける。具体的には、同パネル５５Ａの内壁フレーム５７を木レンガ１９に固定する。
【００８７】
続いて、次の内壁パネル５５Ｂを最初の内壁パネル５５Ａに隣接させて組み付ける。具体的には、内壁パネル５５Ｂを、最初の内壁パネル５５Ａにおける縦フレーム材５７ｂが設けられている側に隣接させて組み付ける。この作業ではまず、内壁パネル５５Ａにおける縦フレーム材５７ｂのはみ出し部６４に、次の内壁パネル５５Ｂにおける内壁材２１のはみ出し部６５を対向させ、それら対向する各はみ出し部６４，６５の間に各内壁パネル５５Ａの袋体６１の側耳部６３ｃ，６３ｄ（側耳部６３ｃについては詳しくはそのはみ出し部６６）を挟み込む。そして、かかる挟み込み状態において、内壁パネル５５Ｂを木レンガ１９に固定するとともに、内壁パネル５５Ｂのはみ出し部６５を内壁パネル５５Ａのはみ出し部６４に固定する。
【００８８】
その後、上記の要領で、残りの内壁パネル５５を順次組み付けていく。内壁パネル５５の組み付けが終了した後、床下地材３２上に床仕上げ材３３を敷設する。これにより、床下地材３２と床仕上げ材３３との間に各内壁パネル５５の袋体６１の下耳部６３ａが挟み込まれる。
【００８９】
その後、天井下地材３７の下面に天井仕上げ材３９を貼り付ける。このとき、天井下地材３７と天井仕上げ材３９との間に各内壁パネル５５の袋体６１の上耳部６３ｂを挟み込んだ状態で貼り付けを行う。これにより、一連の作業が終了する。
【００９０】
以上、詳述した本実施形態の構成によれば、以下の優れた効果が得られる。
【００９１】
下耳部６３ａの一部に、内壁材２１よりも側方に延出する延出部６８を設け、隣り合う内壁材２１において、一方の内壁材２１の裏面に設けられた壁内断熱材５８の下耳部６３ａの延出部６８を、他方の内壁材２１の裏面に設けられた壁内断熱材５８の下耳部６３ａと重ね合わせ、その重ね合わせ状態で床下地材３２と床仕上げ材３３との間に挟み込むようにした。この場合、隣り合う各内壁材２１の裏面に設けられた各々の壁内断熱材５８の下耳部６３ａ同士が一部重ね合わせられた状態で、床下地材３２と床仕上げ材３３との間に挟み込まれるため、内壁材２１の並ぶ方向に沿って連続した気密ラインを形成できる。よって、この場合気密性を高めることができる。
【００９２】
内壁パネル５５において、内壁フレーム５７に、内壁材２１の側縁に沿って設けられる縦フレーム材５７ｂを設け、該縦フレーム材５７ｂと内壁材２１との間に、壁内断熱材５８の側耳部６３ｃを挟み込むようにした。そして、隣り合う内壁パネル５５において、一方の内壁パネル５５の縦フレーム材５７ｂに、他方の内壁パネル５５側にはみ出して当該パネル５５の内壁材２１と対向するはみ出し部６４を設け、それら対向し合う内壁材２１とはみ出し部６４との間に、一方の内壁パネル５５において縦フレーム材５７ｂと内壁材２１との間に挟み込まれた側耳部６３ｃの端縁部及び、他方の内壁パネル５５における壁内断熱材５８の側耳部６３ｄを挟み込むようにした。この場合、縦フレーム材５７ｂが、隣り合う各内壁パネル５５の内壁材２１の裏面に跨って配設され、一方の内壁パネル５５では、同パネル５５の縦フレーム材５７ｂと内壁材２１との間に壁内断熱材５８の側耳部６３ｃが挟み込まれ、当該縦フレーム材５７ｂと内壁材２１との間を通じた空気の出入りが抑制される。それに対し、当該縦フレーム材５７ｂのはみ出し部６４と他方の内壁パネル５５の内壁材２１との間には、一方の内壁パネル５５における側耳部６３ｃの端部（詳しくは、当該側耳部６３ｃのはみ出し部６６）と、他方の内壁パネル５５における壁内断熱材５８の側耳部６３ｄとが挟みこまれているため、当該縦フレーム材５７ｂと当該内壁材２１との間を通じた空気の出入りが抑制されている。具体的には、当該縦フレーム材５７ｂのはみ出し部６４と他方の内壁パネル５５の内壁材２１との間には、一方の内壁パネル５５における側耳部６３ｃと他方の内壁パネル５５における側耳部６３ｄとが重ね合わせられた状態で挟み込まれている。以上より、隣り合う各内壁パネル５５の間を通じて空気が出入りするのを抑制でき、その結果気密性を高めることができる。
【００９３】
〔他の実施形態〕
本発明は上記実施形態に限らず、例えば次のように実施されてもよい。
（１）上記各実施形態の構成において、内壁パネル１２，５５に内壁材２１の下端面に対向するガイド部材を設け、該ガイド部材と内壁材２１の下端面との間に袋体２６，６１の下耳部２８ａ，６３ａを挟み込んで設けることにより、当該下耳部２８ａ，６３ａを内壁材２１の表面側に引き出すようにしてもよい。例えば、図１５（ａ）に示すように、ガイド部材７１を、内壁材２１の下端面と内壁フレーム２２の横フレーム材２２ｂの下面とに跨るように設け、内壁材２１の下端面とガイド部材７１との間に下耳部２８ａを挟み込むことが考えられる。この場合、ガイド部材７１は横フレーム材２２ｂにビス等により固定される。
【００９４】
また、図１５（ｂ）に示すように、内壁フレーム２２の下側の横フレーム材２２ｂに、内壁材２１の下端面に対向する対向部７２を一体形成し、その対向部７２と内壁材２１の下端面との間に下耳部２８ａを挟み込んでもよい。この場合、ガイド部材が横フレーム材２２ｂにより構成されているため、ガイド部材を設けるに際し部品点数の増大を抑制できる。上記各構成によれば、下耳部２８ａが内壁材２１の表面側に引き出された状態で内壁パネル１２の設置作業を行うことができるため、内壁パネル１２の設置に際し、下耳部２８ａが内壁材２１の裏面側に入り込んでしまう等の不都合が生じるのを抑制できる。
【００９５】
（２）袋体２６の下耳部２８ａにおいて、内壁材２１の下端部と床下地材３２との間を通じて内壁材２１の表面側に引き出された部分を上下に折り返し重ね合わせることで重ね部を形成し、その重ね部を床下地材３２と床仕上げ材３３との間に挟み込むようにしてもよい。袋体２６は薄膜状のフィルム材２６ａ，２６ｂからなるため、床下地材３２と床仕上げ材３３との間に隙間が生じている場合には、それら両者３２，３３の間に下耳部２８ａを十分に挟み込むことができず、その結果所望の気密性能が得られなくなるおそれがある。この点、上記のように重ね部を形成すれば、その重ね部を下耳部２８ａにおいて比較的肉厚とすることができるため、重ね部を床下地材３２と床仕上げ材３３との間に挟み込むことで、それら両者３２，３３の間に多少の隙間が生じている場合でも下耳部２８ａの挟み込みが可能となる。
【００９６】
（３）上記各実施形態において、床仕上げ材３３をカーペット（絨毯）としてもよい。カーペットからなる床仕上げ材３３と床下地材３２との間に袋体２６，６１の下耳部２８ａ，６３ａを挟み込むようにしても、内壁材２１と床仕上げ材３３との間の気密性を確保できる。
【００９７】
（４）上記各実施形態において、袋体２６，６１の上耳部２８ｂ，６３ｂを天井下地材３７と廻り縁３８との間、及び天井下地材３７と天井仕上げ材３９との間の両方で挟み込むようにしてもよい。
【００９８】
（５）上記第２の実施形態における内壁パネル５５をその他の構成に変更してもよい。その一例を図１６に示す。図１６に示す内壁パネル７５は、第１の実施形態における内壁パネル１２と同様に、内壁材２１、内壁フレーム２２及び壁内断熱材２３を有してなる。内壁パネル７５は、内壁フレーム２２及び壁内断熱材２３が内壁材２１に対し幅方向に位置ずれさせた状態で組み付けられてなり、具体的には、縦フレーム材２２ａの幅の半分だけ位置ずれさせた状態で組み付けられている。この場合、内壁パネル７５の幅方向一端側では、縦フレーム材２２ａが内壁材２１よりも側方にはみ出し、そのはみ出した部分がフレームはみ出し部７６となっている。一方、内壁パネル７５の幅方向他端側では、内壁材２１が内壁フレーム２２（縦フレーム材２２ａ）よりも側方にはみ出し、そのはみ出した部分が壁はみ出し部７７となっている。これら各はみ出し部７６，７７は、そのはみ出し長さが縦フレーム材２２ａの幅の半分となっている。また、内壁パネル７５の幅方向一方側において、縦フレーム材２２ａと内壁材２１との間に挟み込まれている袋体２６の側耳部２６ｃはその一部が内壁材２１よりも側方にはみ出しており、そのはみ出した部分がはみ出し部７８となっている。
【００９９】
隣り合う各内壁パネル７５において、一方の内壁パネル７５におけるフレームはみ出し部７６は他方の内壁パネル７５における壁はみ出し部７７と対向して設けられており、これら対向する各はみ出し部７６，７７の間には一方の内壁パネル７５における袋体２６の側耳部２８ｃ、詳細にはそのはみ出し部７６が挟み込まれている。この場合、一方の内壁パネル７５におけるフレームはみ出し部７６と他方の内壁パネル７５における壁はみ出し部７７との間から空気が出入りするのを抑制できる。その結果、かかる構成においても内壁パネル７５間を通じた空気の出入りを抑制できる。
【０１００】
（６）上記第２の実施形態では、袋体６１の側耳部６３ｃが縦フレーム材５７ｂと内壁材２１との間に挟み込まれている状態において、側耳部６３ｃの一部が内壁材２１よりも側方にはみ出すようにしたが、はみ出さないようにしてもよい。つまり、側耳部６３ｃにはみ出し部６６を設けないようにしてもよい。この場合においても、隣り合う各内壁パネル５５において、一方の内壁パネル５５におけるフレームはみ出し部６４と他方の内壁パネル５５における壁はみ出し部６５との間に、他方の内壁パネル５５における壁内断熱材５８の側耳部６３ｄを挟み込むことができるため、上記第２の実施形態と同様、内壁パネル５５間を通じた空気の出入りを抑制できる。
【０１０１】
（７）上記各実施形態において、上耳部２８ｂ，６３ｂを天井下地材３７と廻り縁３８又は天井仕上げ材３９との間に挟み込まない構成であってもよい。
【０１０２】
（８）上記実施形態では、ユニット式建物への適用例を説明したが、鉄骨軸組工法により構築される建物や、在来木造工法により構築される建物等、他の構造の建物にも本発明を適用できる。
【０１０３】
（９）第１又は第２の実施形態では、外壁フレーム１５に固定された木レンガ１９に内壁パネル１２を組み付ける際、同パネル１２のフレーム断熱材２４を各木レンガ１９の間に配置する必要がある。ここで、フレーム断熱材２４と木レンガ１９とは上下に当接又は近接した位置関係で配置されるものであるため、上記の作業を行う際、フレーム断熱材２４が木レンガ１９に当たる等してフレーム断熱材２４を各木レンガ１９の間に容易に配設できないことが想定される。特に、内壁パネル１２の組み付け時には、パネル裏側に配置されているフレーム断熱材２４と木レンガ１９との位置関係を確認できないことが想定され、上記の作業は著しく困難を伴うと考えられる。
【０１０４】
そこで、この解決策として、フレーム断熱材２４と木レンガ１９とを所定の隙間をおいて配置し、フレーム断熱材２４を木レンガ１９間に配置し易くすることが考えられるが、その場合、フレーム断熱材２４と木レンガ１９との間の隙間から熱や空気の出入りが生じ、その結果断熱性能や気密性能が低下するおそれがある。
【０１０５】
そこで、本実施形態では、その対策として、フレーム断熱材２４と木レンガ１９とを互いに当接させた状態で予めユニット化し、そのユニット化した断熱材ユニットを外壁フレーム１５に組み付け、その後断熱材ユニットの木レンガ１９に内壁パネル１２を組み付ける構成としている。これによれば、断熱性能や気密性能の低下を抑制しつつ、内壁パネル１２の組み付け作業を容易とすることできる。以下、かかる本例の構成について図１７及び図１８に基づいて説明する。なお、図１７は、本例における外壁構造の構成を示す縦断面図であり、図１８は、断熱材ユニット８１を示す斜視図である。また、以下では、第１の実施形態との相違点を中心に説明する。
【０１０６】
図１７に示すように、本実施形態における建物８０の外壁構造では、外壁パネル１１の外壁フレーム１５の屋内側面に断熱材ユニット８１が固定されており、その断熱材ユニット８１の屋外側に内壁パネル１２が固定されている。断熱材ユニット８１は、図１８に示すように、合板よりなる長尺平板状の下地プレート８２と、下地プレート８２の一方の板面に同プレート８２の長手方向に沿って交互に並べられた木レンガ１９及びフレーム断熱材２４とを備える。木レンガ１９とフレーム断熱材２４とはそれぞれ複数ずつ設けられ、隣り合う木レンガ１９とフレーム断熱材２４とは互いに当接されている。そして、この当接状態において木レンガ１９とフレーム断熱材２４とはそれぞれ下地プレート８２に対しタッピングネジ等で固定されている。この場合、木レンガ１９とフレーム断熱材２４とはそれら両者の間に隙間がない状態で一体化されており、これにより断熱性能及び気密性能の低下が抑制されている。
【０１０７】
図１９は、外壁フレーム１５に対する断熱材ユニット８１の固定状態を示す正面図である。図１９に示すように、隣り合う外壁フレーム１５において隣接する縦フレーム材１５ａ同士は互いのウェブ部同士を当接させた状態で設けられている。断熱材ユニット８１は、それら縦フレーム材１５ａ同士が隣接する各フレーム隣接部８４にそれぞれ配置されており、各々のフレーム隣接部８４において、縦フレーム材１５ａに沿って延びる向きで、かつ、隣接する各縦フレーム材１５ａに跨って設けられている。断熱材ユニット８１は、下地プレート８２を各縦フレーム材１５ａ（その屋内側フランジ部）の屋内側面に当接させて設けられており、その当接状態において下地プレート８２がビス等により縦フレーム材１５ａに固定されている（図２０参照）。
【０１０８】
ところで、断熱材ユニット８１は長尺物であるため、その取り回しが大変になることが想定される。そのため、断熱材ユニット８１を縦フレーム材１５ａに沿って位置ずれしないよう組み付けることは作業的に困難を伴うと考えられる。組み付けの際、特に縦フレーム材１５ａに直交する方向への位置ずれが懸念され、例えば断熱材ユニット８１が縦フレーム材１５ａに対し若干傾いた状態で組み付けられただけで、同フレーム材１５ａに直交する方向における断熱材ユニット８１の上下端部の位置がずれてしまうおそれがある。そこで、本例では、この点に鑑み、断熱材ユニット８１に、縦フレーム材１５ａに直交する方向における同ユニット８１の位置決めを行う位置決め手段を設け、その位置決め手段により同ユニット８１を位置決めした状態で縦フレーム材１５ａに固定できるようにしている。以下、かかる位置決め手段について図２０に基づいて説明する。
【０１０９】
図２０に示すように、断熱材ユニット８１の下地プレート８２には、位置決め手段としての係合部材８５が設けられている。係合部材８５は、下地プレート８２の裏面すなわち下地プレート８２において木レンガ１９が固定されている面とは反対側の面に、同プレート８２の長手方向に沿って所定の間隔で複数取り付けられている。係合部材８５は、略Ｌ字状をなす金属製板材よりなる。係合部材８５は、下地プレート８２の裏面に接着等により取り付けられた取付部８５ａと、その取付部８５ａから下地プレート８２とは反対側に延びる係合部８５ｂとを有する。
【０１１０】
各係合部材８５はそれぞれ、各々の係合部８５ｂが下地プレート８２の長手方向に延びる向きで同プレート８２に取り付けられており、具体的には各々の係合部８５ｂが上記長手方向に一列に並ぶようにして取り付けられている。また、かかる係合部材８５の取付状態において、係合部８５ｂは下地プレート８２の幅方向略中央に位置している。
【０１１１】
なお、係合部材８５は必ずしもＬ字状とする必要はなく、例えば取付部８５ａと係合部８５ｂとによりＴ字状に形成する等、その他の形状としてもよい。要は、係合部材８５に、下地プレート８２の裏面側に延びる係合部８５ｂが設けられていればよい。また、係合部材８５は、必ずしも縦フレーム材１５ａの長手方向に沿って分散して設ける必要はなく、同長手方向に沿って連続して設けてもよい。例えば係合部材８５を縦フレーム材１５ａの長手方向に沿った長尺状とすることが考えられる。要するに、係合部材８５（係合部８５ｂ）は、縦フレーム材１５ａの長手方向に沿って設けられていればよい。
【０１１２】
次に、係合部材８５による断熱材ユニット８１の位置決め構造について図２１に基づいて説明する。なお、図２１は、係合部材８５により断熱材ユニット８１が位置決めされた状態を示す横断面図である。
【０１１３】
図２１に示すように、フレーム隣接部８４において隣接する各縦フレーム材１５ａにはそれぞれ、ウェブ部とフランジ部との間の角部に円弧状の曲面部８８が形成されている。各縦フレーム材１５ａにおいて隣り合う曲面部８８の間は同フレーム材１５ａに沿って延びる溝部８７となっており、この溝部８７は各縦フレーム材１５ａの境界部において屋内外方向の両端部に形成されている。それら各溝部８７のうち、屋内側の端部に設けられ同側に開口する溝部８７の内側には、断熱材ユニット８１の係合部材８５が入り込んでいる。この場合、係合部材８５の係合部８５ｂが、溝部８７において狭小となっている奥側（屋外側）部分に入り込み、溝部８７に係合された状態となっている。これにより、断熱材ユニット８１は、縦フレーム材１５ａの長手方向に直交する方向（つまり内壁パネル１２の横幅方向に相当）への移動が規制されている。つまり、係合部材８５は、断熱材ユニット８１について縦フレーム材１５ａに直交する方向への位置決めを行う位置決め部材として機能している。
【０１１４】
次に、内壁パネル１２を外壁フレーム１５に組み付ける際の作業手順を説明する。
【０１１５】
まず、外壁フレーム１５の各フレーム隣接部８４の縦フレーム材１５ａに断熱材ユニット８１を固定する。このとき、断熱材ユニット８１の係合部材８５の係合部８５ｂを隣接する縦フレーム材１５ａ間の溝部８７に係合させ、その係合状態で断熱材ユニット８１を縦フレーム材１５ａに固定する。この場合、断熱材ユニット８１を縦フレーム材１５ａの長手方向に直交する方向において位置決めした状態で固定できるため、断熱材ユニット８１の組み付け作業性の向上を図ることができる。その後、内壁パネル１２を断熱材ユニット８１の木レンガ１９に固定する。
【０１１６】
（１０）上記（９）の構成において、隣接する縦フレーム材１５ａ間の溝部８７内に、係合部材８５の係合部８５ｂを係合可能な被係合部を設け、その被係合部に係合部８５ｂを係合させることで断熱材ユニット８１について縦フレーム材１５ａの長手方向への移動を規制するようにしてもよい。以下、その具体例を図２２に基づいて説明する。なお、図２２は、隣接する縦フレーム材１５ａ間の溝部８７に被係合部が設けられた状態を示す斜視図である。
【０１１７】
図２２に示すように、隣接する縦フレーム材１５ａ間の溝部８７には、係合部材８５の係合部８５ｂを係合可能な被係合部９４が設けられている。被係合部９４は、例えば溶接ビードにより形成されており、溝部８７における長手方向の所定範囲を埋めるように設けられている。被係合部９４は、溝部８７の長手方向に沿って複数設けられ、それら各被係合部９４は断熱材ユニット８１の下地プレート８２における各係合部材８５の間隔と同間隔で配置されている。なお、被係合部９４は、必ずしも溶接ビードにより形成する必要はなく、溝部８７の形状及び大きさに合わせて形成した部材を同溝部８７にはめ込み被係合部とする等、その他の構成としてもよい。
【０１１８】
図２３は、隣接する縦フレーム材１５ａと断熱材ユニット８１とを示しており、（ａ）が同ユニット８１を縦フレーム材１５ａから離した状態を示す斜視図、（ｂ）が同ユニット８１を縦フレーム材１５ａに固定した状態を示す斜視図である。
【０１１９】
図２３に示すように、断熱材ユニット８１は、係合部材８５の係合部８５ｂが溝部８７に入り込んだ状態で縦フレーム材１５ａに固定される（この点は上記（９）の構成と同じ）。係合部８５ｂは、溝部８７内において被係合部９４の上方に当該被係合部９４に当接されて配置されている。この場合、その当接により、断熱材ユニット８１は縦フレーム材１５ａの長手方向における一方側（詳しくは下方）への移動が規制されている。
【０１２０】
上記の構成において、断熱材ユニット８１を縦フレーム材１５ａに組み付ける際には、まず、係合部材８５の係合部８５ｂを溝部８７に入り込ませ、かつ、係合部８５ｂを溝部８７内において被係合部９４の上方に当該被係合部９４と当接させて配置する。これにより、係合部８５ｂは、溝部８７に係合されるとともに、被係合部９４に係合される。その結果、断熱材ユニット８１は、縦フレーム材１５ａの長手方向に直交する方向への移動が規制されるとともに、縦フレーム材１５ａの長手方向への移動が規制されるため、断熱材ユニット８１は、縦フレーム材１５ａの長手方向に直交する方向のみならず、同フレーム材１５ａの長手方向においても位置決めされる。そして、この位置決め状態で、断熱材ユニット８１を縦フレーム材１５ａに固定する。かかる構成によれば、断熱材ユニット８１の組み付け作業をより一層容易とすることができる。
【０１２１】
（１１）また、上記（９）又は（１０）の構成において、係合部材８５に、下地プレート８２における木レンガ１９（及びフレーム断熱材２４）の固定面側に同下地プレート８２を貫通して延びる位置決め部を設け、その位置決め部に木レンガ１９とフレーム断熱材２４とをそれぞれ当接させることでそれら両者１９，２４の位置決めをしてもよい。この場合、断熱材ユニット８１の位置決めに用いる係合部材８５を、木レンガ１９とフレーム断熱材２４とを下地プレート８２に取り付ける際の位置決めに兼用することができる。その具体例を図２４に示す。
【０１２２】
図２４（ａ）では、係合部材９６が、ピン形状を有して形成されており、例えばステンレス等の金属からなる。係合部材９６は、下地プレート８２に形成された貫通孔（図示略）に挿通されており、その挿通状態において同プレート８２を挟んだ両側に延びている。この場合、係合部材９６において下地プレート８２の裏面から延出した部分は係合部９７となっており、下地プレート８２の表面から延出した部分は位置決め部９８となっている。図示は省略するが、係合部９７は、隣接する縦フレーム材１５ａ間の溝部８７に入り込み、当該溝部８７又は被係合部９４に係合される部分である。位置決め部９８は、木レンガ１９とフレーム断熱材２４との間に配置され、その配置状態においてそれら両者１９，２４にそれぞれ当接されている。この場合、位置決め部９８を木レンガ１９とフレーム断熱材２４との位置決めに利用できる。
【０１２３】
図２４（ｂ）の係合部材１０１は、図２４（ａ）の係合部材９６に、係合プレート１０２を溶接により接合したものである。係合プレート１０２は、長尺平板状の板金よりなり、その短手幅が係合部９７の長さと同じとなっている。係合プレート１０２は、その長手方向を下地プレート８２の長手方向に向けた状態で、その一端が係合部９７に固定されている。この場合、係合部９７と係合プレート１０２とがそれぞれ溝部８７に入り込む部分となっており、溝部８７に係合される部分が上記の係合部材９６（図２４（ａ））よりも長く確保されている。この場合、断熱材ユニット８１の安定した位置決めが可能となる。
【０１２４】
また、図２４（ｃ）に示すように、木レンガ１９とフレーム断熱材２４との間に係合部材９６，１０１を下地プレート８２の裏面側（同プレート８２における木レンガ１９の固定面とは反対の面側）から挿入可能な挿入部１０５を設けてもよい。
【符号の説明】
【０１２５】
１０…建物、１２…内壁パネル、２１…内壁面材としての内壁材、２２…内壁フレーム、２３…壁内断熱材、２６…表被材としての袋体、２７…繊維系材料としての繊維系断熱材、２８…耳部、２８ａ…下耳部、２８ｂ…上耳部、２８ｃ…側耳部、３２…床下地面材としての床下地材、３３…床仕上げ面材としての床仕上げ材、３７…天井下地面材としての天井下地材、３８…廻り縁、３９…天井仕上げ面材としての天井仕上げ材、５５…内壁パネル、５７…内壁フレーム、５７ｂ…縦枠材としての縦フレーム材、６３…耳部、６３ｃ…側耳部、６３ｄ…側耳部、６４…対向部としてのフレームはみ出し部、６８…延出部、７１…ガイド部材。
【図１】
0005758668.tif 000002
【図２】
0005758668.tif 000003
【図３】
0005758668.tif 000004
【図４】
0005758668.tif 000005
【図５】
0005758668.tif 000006
【図６】
0005758668.tif 000007
【図７】
0005758668.tif 000008
【図８】
0005758668.tif 000009
【図９】
0005758668.tif 000010
【図１０】
0005758668.tif 000011
【図１１】
0005758668.tif 000012
【図１２】
0005758668.tif 000013
【図１３】
0005758668.tif 000014
【図１４】
0005758668.tif 000015
【図１５】
0005758668.tif 000016
【図１６】
0005758668.tif 000017
【図１７】
0005758668.tif 000018
【図１８】
0005758668.tif 000019
【図１９】
0005758668.tif 000020
【図２０】
0005758668.tif 000021
【図２１】
0005758668.tif 000022
【図２２】
0005758668.tif 000023
【図２３】
0005758668.tif 000024
【図２４】
0005758668.tif 000025